(57)【特許請求の範囲】
【請求項１】
複数の壁掛け器具を並列状態に取付けるための複数の取付金具の相互間に跨がった状態に配置されて使用されるゲージであって、このゲージには、相互に隣り合う二つの取付金具の相互間寸法を所定の一定寸法に設定すべく、取付金具の左右両端部の前面側に突設された係止部に係止可能な一組のスリットが設けられており、上記ゲージの一端部側には、その一端部側を他端部側から分断除去するための切込部が設けられ、この切込部の位置からゲージの一端部側を分断除去させたときには、ゲージの他端部側を取付金具に取付けた状態で壁掛け器具の直付ベースをゲージの分断された端部に当接させることにより、その直付ベースと取付金具との相互間の寸法設定が行えるように構成されていることを特徴とする壁掛け器具の壁面取付け用ゲージ。
【発明の詳細な説明】
【０００１】
【産業上の利用分野】
本発明は、インターホン、電話機、アラームユニット、その他の電気・情報・セキュリティ機器類等の各種の壁掛け器具を壁面に取付けるのに使用される壁掛け器具の壁面取付け用ゲージに関する。
【０００２】
【従来の技術】
住居内にセキュリティ用の情報機器を設置するような場合には、例えば電話機を単独で壁面に取付けるだけではなく、この電話機の横に電気錠の操作ユニットやＴＶモニターユニット等を並列状態に連接させて設置する場合がある。
このような取付け施工に際しては、これら電話機や各ユニット間に隙間が生じたり、或いはそれらの取付け状態が傾かないように配慮する必要がある。
そこで、従来では、例えば図１２に示すように、これら電話機や各ユニットの取付けに利用される取付金具３ｅ〜３ｇを壁面２に取付ける場合には、各取付金具３ｅ〜３ｇの相互間寸法Ｌｃ、Ｌｄをスケールで測定して位置決めするようにしていた。
【０００３】
【発明が解決しようとする課題】
しかしながら、上記従来の手段では、スケールを用いて取付金具３ｅ〜３ｇの取付け位置を決定していたために、その位置決めを行うための測定作業が面倒である他、スケールを用いた位置決めでは誤差が生じ易く、電話機や各種ユニットを正確に位置決めできず、これらの相互間に隙間が発生するような難点が生じていた。
また、上記のような電話機や各種ユニット等の取付けに際しては、電話配線又は電気配線用の開口部５（壁穴）が壁面２に形成されているが、この開口部５からは臭気のある風や埃などが吹き出される場合が多く、これが使用者（ユーザー）にとって不快となるような難点も生じていた。
【０００４】
本発明は上記の点に鑑みて提案されたもので、複数の壁掛け器具を壁面に連接状態で取付ける際にスケールを用いて取付金具の取付け位置を決定するような面倒な手間を無くし、壁掛け器具を容易に且つ外観体裁の良好な状態に取付けることができるようにすることを、その目的としている。
【０００５】
【課題が解決するための手段】
本発明は、取付金具等の取付けに際してスケールを用いるのではなく、予め一定寸法に形成されたゲージを用いて取付金具等の相互間の寸法設定を行わせることにより、上記従来の課題を解決するという全く新規な発想の下に発明されたものである。すなわち、複数の壁掛け器具を並列状態に取付けるための複数の取付金具の相互間に跨がった状態に配置されて使用されるゲージであって、このゲージには、相互に隣り合う二つの取付金具の相互間寸法を所定の一定寸法に設定すべく、取付金具の左右両端部の前面側に突設された係止部に係止可能な一組のスリットが設けられ、ゲージの一端部側には、その一端部側を他端部側から分断除去するための切込部が設けられ、この切込部の位置からゲージの一端部側を分断除去させたときには、ゲージの他端部側を取付金具に取付けた状態で壁掛け器具の直付ベースをゲージの分断された端部に当接させることにより、その直付ベースと取付金具との相互間の寸法設定が行えるように構成されていることを特徴とする壁掛け器具の壁面取付け用ゲージを提案するものである。
【０００９】
【作用】
上記構成を特徴とする本発明に係る壁掛け器具の壁面取付け用ゲージにおいては、壁掛け器具を取付けるための複数の取付金具に対してこのゲージを位置決めさせて取付ければ、相互に隣り合う二つの取付金具の相互間寸法が所定の一定寸法に設定され、固定されることとなる。従って、かかるゲージを使用すれば、取付金具の相互間寸法をスケールで測定しなくても一定の寸法に正確に設定することができる。その結果、かかる取付金具を介して壁面に取付けられる壁掛け器具の相互間に不体裁な隙間を生じさせるようなことが解消できる。また、ゲージは、複数の取付金具の相互間に跨がった状態に設けられるために、仮に取付金具の相互間に配線用の壁穴（開口部）が存在していても、この壁穴の隙間をゲージによって閉塞することができ、壁穴から臭のある風が吹き出すことをも防止することが可能となる。
【００１１】
また、ゲージの一端部を切込部から分断除去させる構造になっているので、ゲージの他端側を取付金具に取付けた状態で、ゲージの分断された端部側に壁掛け器具の直付ベースを当接させて配置させれば、これら取付金具と壁掛け器具の直付ベースとの両者間の取付け位置の寸法設定を行わせることができる。即ち、ゲージの一端部を切込部から分断除去させれば、取付金具と壁掛け器具の直付ベースとの寸法設定に利用できる一方、ゲージの一端部を分断除去させない状態では、請求項１の場合と同様に二つの取付金具の相互間の寸法設定に利用でき、２通りの使用が行えることとなる。
【００１３】
【実施例】
以下、本発明の実施例について図面を参照して説明する。
図１は壁掛け器具の壁面取付け用ゲージの基本構造を示す参考例を示している。壁面取付け用ゲージ１を用いて壁掛け器具を取付ける状態の一例を示す斜視図、図２は壁面取付け用ゲージ１の正面図、図３は図２のＸ−Ｘ線断面図である。図１において、壁掛け器具の一例としては電話機Ａａと電気錠ユニットＡｂが適用されているが、これら電話機Ａａと電気錠ユニットＡｂの両者は、ネジ４を介して壁面２に固定される取付金具３ａ、３ｂを利用して壁面２に取付けられるように構成されたものである。具体的には、各取付金具３ａ、３ｂの左右両端部の前面側には、手前前方側に突出した形状の係止部３０・・が例えば計四箇所ずつ形成されている。一方、電話機Ａａと電気錠ユニットＡｂの両者の背面側にはそれら係止部３０・・に係脱自在な係止用の凹部（不図示）が形成されている。かかる係止構造により、電話機Ａａと電気錠ユニットＡｂは、各取付金具３ａ、３ｂに対して着脱自在に掛止可能である。
【００１４】
壁面取付け用ゲージ１は、上記のような取付金具３ａ、３ｂを壁面２に取付ける際に使用されるもので、その具体的な構成は、図２及び図３に示すように、薄板部材から形成されたゲージ本体１３の左右両端部にスリット１０、１０を形成したものである。但し、これらの一組の各スリット１０、１０は、その内側に取付金具３ａ、３ｂの係止部３０・・を挿通させてかかる係止部３０・・をガタツキの少ない状態に係止可能とするサイズに形成されている。また、かかるスリット１０、１０のピッチＰは、後述するように二つの取付金具３ａ、３ｂを壁面２に取付ける際に設定すべき取付金具３ａ、３ｂの相互間寸法と同一となるように設定されている。
【００１５】
また、この壁面取付け用ゲージ１は、二つのスリット１０、１０のうち一方（例えば図２の左側）のスリット１０の上方及び下方の近傍位置に、切込部１１、１１が形成されている。この切込部１１、１１は、ゲージ１の細幅の一端部１ｂ側を幅広の他端部１ａ側から分断除去させて、図４に示すようなゲージ１Ａに変更させるためのものである。
尚、切込部１１、１１から他方のスリット１０までの寸法Ｐａも、後述する所定の寸法に設定されている。
更に、この壁面取付け用ゲージ１は、図３に示すように、ゲージ１の背面側の中央位置に他の部分よりも肉厚の大きい厚肉部１２が設けられている。
【００１６】
次に、上記構成の壁面取付け用ゲージ１の使用法、作用について説明する。
先ず、図１に示すように、二つの取付金具３ａ、３ｂを壁面２へネジ４・・を利用して取付ける際には、図５に示すように、ゲージ１の各スリット１０、１０の位置を取付金具３ａ、３ｂの各係止部３０、３０・・に挿通させる。
これにより、取付金具３ａ、３ｂに対してゲージ１を位置決めさせた状態に連結することができ、ゲージ１を介して互いに連結される二つの取付金具３ａ、３ｂの相互間寸法Ｌは固定化される。
【００１７】
而して、かかる寸法Ｌは、ゲージ１のスリット１０、１０のピッチＰによって定まるが、このピッチＰは二つの取付金具３ａ、３ｂが本来設定されるべき相互間の寸法Ｌを考慮して予め設定されたものであるから、結局、取付金具３ａ、３ｂの相互間寸法Ｌは電話機Ａａと電気錠ユニットＡｂを隙間の無い体裁の良い状態に連接するのに最適な寸法となる。
従って、スケールを用いて二つの取付金具３ａ、３ｂの取付け位置を決定するような面倒な手間を要することなく、取付金具３ａ、３ｂを適切な間隔で壁面２に取付けることができる。
その結果、これら取付金具３ａ、３ｂの各々に電話機Ａａと電気錠ユニットＡｂを掛止させたときには、それら両者間に不当な隙間等を生じさせず、両者が密接した体裁のよい状態となる。
更に、図５に示す状態から明らかなように、取付金具３ａ、３ｂを壁面２に取付ける際には、配線用の開口部５（壁穴）がゲージ１によって塞がれることとなる。従って、かかる開口部５から臭いのある風が大量に吹き出すことも抑制でき、作業環境を良好にすることも可能となる。
【００１８】
ついで、本発明の実施例を、図２〜図６を参照して説明する。
上記した図１や図５では、二つの取付金具３ａ、３ｂを用いて電話機Ａａと電気錠ユニットＡｂを取付ける場合を説明したが、電話機の種類によっては、取付金具３ａを用いることなく、電話機を壁面２に対して直接取付けるタイプのものもある。即ち、図６に示す電話機Ｂは、直付ベースＢａとこの直付ベースＢａの手前前面側に接合される前面パネルＢｂとを組み合わせて構成され、このうち一方の直付ベースＢａは、ネジ４、４を利用して壁面２に直付けするように構成されている。
従って、図６に示すように、直付ベース式の電話機Ｂと取付金具３ｂを利用して取付けを行う電気錠ユニットＡｂとを連接する場合には、図２で示した本発明のゲージ１を切込部１１、１１から分断して一端部１ｂ側を除去し、図４に示す状態のゲージ１Ａを作成する構造にしている。
【００１９】
かかるゲージ１Ａは、図６に示すように、そのスリット１０を取付金具３ｂの係止部３０に係止させることにより、やはりこの取付金具３ｂに対して連結させるとができる。
一方、電話機Ｂの直付ベースＢａは、図７に示すように、取付金具３ｂに連結させたゲージ１Ａの端部１４に当接させることによりその位置決めを図ればよい。
ゲージ１Ａのスリット１０からその端部１４までの寸法Ｐａは、やはり電話機Ｂと電気錠ユニットＡｂを隙間なく適切に取付けるのに最適な直付ベースＢａと取付金具３ｂとの相互間寸法に設定できるように予め決定されている。
従って、やはりスケールを用いて取付金具３ｂや直付ベースＢａの取付け位置を決定する必要はなく、これらの位置決めが容易に且つ正確に行え、電話機Ｂ及び電気錠ユニットＡｂを体裁のよい状態に並設することができる。
【００２０】
図８も参考例を示しており、１Ｂはゲージであり、一端側に取付金具３ｂの係止部３０に係止させるためのスリット１０を設けており、丁度図４で示したゲージ１Ａと同様な構成のものである。壁掛け器具の種類等は、現場施工を行う以前から予め判別しているのが実情であるから、図６で示したように、一方の壁掛け器具Ｂが直付ベースタイプで、他方の壁掛け器具Ａｂが取付金具３ｂを用いるタイプであることが予め判っているときには、当初から上記のようなゲージ１Ｂを用いればよい。
【００２１】
図９は、壁掛け器具の壁面取付け用ゲージ１Ｃ、１Ｃの参考例を示す斜視図、図１０はかかるゲージ１Ｃの平面図である。これらのゲージ１Ｃ、１Ｃは、取付金具３ｃ、３ｄの背面側へ両者に跨がった状態に取付けられて使用されるもので、各ゲージ１Ｃの左右両端部の前面側には、取付金具３ｃ、３ｄの上部及び下部に各々二箇所ずつ開設された孔部３１、３１に嵌入して係合する係合用突起１５、１５が二つずつ突設されている。尚、かかるゲージ１Ｃの左右の係合用突起１５、１５どうしの中心間のピッチＰｂは、取付金具３ｃ、３ｄを壁面に取付ける際の両者間の中心間寸法Ｌｂと一致する寸法に予め設定されている。
【００２２】
上記構成のゲージ１Ｃ、１Ｃは、左右の各係合用突起１５、１５を取付金具３ｃ、３ｄの孔部３１、３１の各々に嵌入させて係合させることにより、図１１に示すように取付金具３ｃ、３ｄを両ゲージ１Ｃ、１Ｃを介して連結させることができる。
而して、かかる状態では、取付金具３ｃ、３ｄの各中心の相互間寸法Ｌｂは、ゲージ１Ｃ、１Ｃの係合用突起１５、１５の中心間ピッチＰｂと一致するために、やはりスケールを用いることなく、取付金具３ｃ、３ｄ間の寸法Ｌｂを正確な所望の寸法に設定することができる。
また、上記連結構造では、取付金具３ｃ、３ｄの上下方向（高さ方向）についてもゲージ１Ｃ、１Ｃによって位置決め固定することができ、二つの取付金具３ｃ、３ｄを例えば同一高さに設定維持させることも容易に行える。
従って、ゲージ１Ｃ、１Ｃを用いて取付金具３ｃ、３ｄを連結させたままの状態でこれらの取付金具３ｃ、３ｄを壁面へネジ止めすれば、取付金具３ｃ、３ｄの左右横方向の寸法設定は勿論のこと、上下方向の段差の発生をも無くした状態にすることができる。その結果、かかる取付金具３ｃ、３ｄを利用して壁面に取付けられる二つの壁掛け器具の連接取付け状態を一層体裁の良い状態にすることが可能となる。
【００２３】
〔その他の実施例〕
上述の実施例では、壁掛け器具の具体例として電話機や電気錠ユニットを挙げて説明したが、本発明が対象とする壁掛け器具の種類は決してこれに限定されない。これら以外の様々な電気機器、通信・情報機器、セキュリティ機器等を対象とすることができる。
また、本発明は取付金具の具体的な形状等も限定されない他、請求項１に記載のゲージを取付金具に位置決めさせた状態に取付けるための手段も、上記したスリット１０や係合用突起１５に限定されるものではない。
【００２４】
【発明の効果】
以上の説明から理解されるように、本発明に係る壁掛け器具の壁面取付け用ゲージによれば、複数の壁掛け器具を並列状態に連接させて壁面に取付ける際に、従来のようにスケールを用いて取付金具の取付け位置を位置決めするような面倒な手間が無くなり、ただ単に取付金具どうしをゲージで連結させ、或いは取付金具に取付けたゲージの一端部に壁掛け器具の直付ベースを当接させるようにするだけで、取付金具や壁掛け器具の直付ベースの相互間寸法を所望の寸法に正確に設定することができ、壁掛け器具を容易に且つ外観体裁の良好な状態に取付けることができるという格別な効果が得られる。また、取付金具の相互間に配線用の壁穴が存在していても、この壁穴の隙間をゲージによって閉塞することも可能となり、壁穴から臭のある風が吹き出すのを防止して、作業環境を良好にできるという効果も得られる。
【００２５】
また、ゲージの一端部を切込部から分断除去させる構造になっているので、取付金具と壁掛け器具の直付ベースとの寸法設定に利用できる一方、ゲージの一端部を分断除去させない状態では、二つの取付金具の相互間の寸法設定に利用できて、２通りの使用が行えるため、一層便利である。
【図面の簡単な説明】
【図１】壁掛け器具の壁面取付け用ゲージ及びその壁面取付け対象となる壁掛け器具等の参考例を示す斜視図。
【図２】本発明に係る壁掛け器具の壁面取付け用ゲージの一例を示す正面図。
【図３】図２のＸ−Ｘ線断面図。
【図４】図２に示す壁掛け器具の壁面取付け用ゲージの一端部側を分断させた状態の一例を示す正面図。
【図５】図１に示す各部品を壁面に取付ける状態を示す斜視図。
【図６】図４で示した壁掛け器具の壁面取付け用ゲージを用いて壁掛け器具を壁面に取付ける場合の一例を示す斜視図。
【図７】図６で示した各部品を壁面に取付ける状態を示す平面断面図。
【図８】壁掛け器具の壁面取付け用ゲージの別の参考例を示す正面図。
【図９】壁掛け器具の壁面取付け用ゲージ、及び取付金具の参考例を示す斜視図。
【図１０】図９で示した壁掛け器具の壁面取付け用ゲージの平面図。
【図１１】図９で示した壁掛け器具の壁面取付け用ゲージで取付金具を連結させた状態を示す正面図。
【図１２】取付金具を壁面に取付ける場合の従来例を示す正面図。
【符号の説明】
１，１Ａ，１Ｂ，１Ｃ  壁掛け器具の壁面取付け用ゲージ
２  壁面
３ａ〜３ｄ  取付金具
４  ネジ
５  開口部（壁面の）
１０  スリット
１１  切込部
１３  ゲージ本体
１５  係合用突起
３０  係止部（取付金具）
３１  孔部（取付金具）
Ａａ，Ａｂ，Ｂ  壁掛け器具
Ｂａ  直付ベース
【図１】
0003593702.tif 000002
【図２】
0003593702.tif 000003
【図３】
0003593702.tif 000004
【図４】
0003593702.tif 000005
【図５】
0003593702.tif 000006
【図６】
0003593702.tif 000007
【図７】
0003593702.tif 000008
【図８】
0003593702.tif 000009
【図９】
0003593702.tif 000010
【図１０】
0003593702.tif 000011
【図１１】
0003593702.tif 000012
【図１２】
0003593702.tif 000013